(57)【特許請求の範囲】
【請求項１】
ドアパネルの内面側に取付けられて同ドアパネルとともに自動車用ドアを構成するドアトリムが有するポケットであり、前記ドアトリムの前側下方部に設けた凹所に配置されて同凹所に設けた支持部に下方部にて前記ドアトリムの表裏側へ回動可能に支持されたポケット本体と、前記支持部に上下方向へ回動可能に支持されて前記ポケット本体の上方開口部を開閉する蓋体と、前記蓋体と前記ポケット本体とを連結して互いの回動動作を連動させる連動手段を備え、前記連動手段は、前記ポケット本体および前記蓋体のいずれか一方に設けた円弧状のラックと、前記ポケット本体および前記蓋体のいずれか他方に設けられて前記ラックに常時噛合するピニオンにて構成されていることを特徴とするドアトリム用ポケット。
【請求項２】
請求項１に記載のドアトリム用ポケットにおいて、前記ポケット本体と前記蓋体を支持する支持部は、前記ドアトリムの凹所に配設されて前記ポケット本体を収容するポケットケースであることを特徴とするドアトリム用ポケット。
【請求項３】
請求項１または２に記載のドアトリム用ポケットにおいて、前記支持部と前記ポケット本体との間には、同ポケット本体が非回動動作状態では同ポケット本体を非回動動作方向に付勢し、かつ、同ポケット本体が回動動作状態では反転して同ポケット本体を回動動作方向に付勢するバネ部材が介装されていることを特徴とするドアトリム用ポケット。
【請求項４】
請求項３に記載のドアトリム用ポケットにおいて、前記支持部と前記ポケット本体との間に、前記バネ部材のバネ力を緩衝するダンパが介装されていることを特徴とするドアトリム用ポケット。
【発明の詳細な説明】
【０００１】
【発明の属する技術分野】
本発明は、自動車用ドアを構成するドアトリムが有するドアトリム用ポケットに関する。
【０００２】
【従来の技術】
ドアパネルの内面側に取付けられて同ドアパネルとともに自動車用ドアを構成するドアトリムにおいては、図７に示すように、ドアトリム１の下方の部位に上方に開口する凹所１ａを設けて、同凹所１ａを固定式のドアポケット２に形成している。また、他の一例として、この固定式のドアポケット２の蓋部２ａに相当する部位をドアトリム１とは別部材で形成して、この別部材をドアトリム１の凹所１ａの下端縁部に手前へ回動可能に組付けて可動蓋とした可動式のドアポケットがある。
【０００３】
【発明が解決しようとする課題】
ところで、これら両形式のいずれのドアポケットにおいても、上方の開口部から収容物が視認されることから、他人には見せたくない収容物を視認されるおそれがあり、プライバシー性に欠ける不具合がある。これに対処すべく、ドアポケットの上方を開閉する蓋体を設けることが考えられるが、この場合には、ドアポケットの開口部が小さくなって、ドアポケットの使い勝手がよくない。
【０００４】
さらに、固定式のドアポケットにおいては、収容物が小さい場合には、ドアポケットが幅狭であって深いことから、収容物を取出しずらいという不具合がある。また、可動式のドアポケットにおいては、通常の配設部位が座席のシートクッションの側部であることから、可動蓋部の回動動作がシートクッションにより規制され、可動式のドアポケットにおいても小さな収容物の取出し性を向上し得ないという不具合がある。
【０００５】
従って、本発明の目的は、これらのいずれの形式のドアポケットが有する不具合をも解消することある。
【０００６】
【課題を解決するための手段】
本発明は、ドアパネルの内面側に取付けられて同ドアパネルとともに自動車用ドアを構成するドアトリムが有するポケットに関する。
【０００７】
しかして、本発明に係るドアトリム用ポケットは、前記ドアトリムの前側下方部に設けた凹所に配置されて同凹所に設けた支持部に下方部にて前記ドアトリムの表裏側へ回動可能に支持されたポケット本体と、前記支持部に上下方向へ回動可能に支持されて前記ポケット本体の上方開口部を開閉する蓋体と、前記蓋体と前記ポケット本体とを連結して互いの回動動作を連動させる連動手段を備えるものである。
【０００８】
本発明に係るドアトリム用ポケットは、前記ポケット本体、前記蓋体および前記連動手段を備え、前記連動手段は、前記ポケット本体および前記蓋体のいずれか一方に設けた円弧状のラックと、前記ポケット本体および前記蓋体のいずれか他方に設けられて前記ラックに常時噛合するピニオンにて構成されていることを特徴とするものである。
【０００９】
また、本発明に係るドアトリム用ポケットにおいては、前記ポケット本体と前記蓋体を支持する支持部を、前記ドアトリムの凹所に配設されて前記ポケット本体を収容するポケットケースとすることができる。
【００１０】
また、本発明に係るドアトリム用ポケットにおいては、前記支持部と前記ポケット本体との間に、同ポケット本体が非回動動作状態では同ポケット本体を非回動動作方向に付勢し、かつ、同ポケット本体が回動動作状態では反転して同ポケット本体を回動動作方向に付勢するバネ部材を介装することができる。この場合には、前記支持部と前記ポケット本体との間に、前記バネ部材のバネ力を緩衝するダンパを介装することが好ましい。
【００１１】
【発明の作用・効果】
本発明に係るドアトリム用ポケットにおいては、蓋体を開放すべく上方へ回動操作した場合には、蓋体の回動動作と連動してポケット本体が手前へ回動し、ポケットの上方開口部を大きく開放させる。また、これとは逆に、ポケット本体を手前へ回動操作した場合には、ポケット本体の回動動作に連動して蓋体が上方へ回動動作し、ポケットの上方開口部を大きく開放させる。
【００１２】
このように動作するポケットにおいては、収容物を収容した状態では、上方開口部が蓋体で覆蓋されていることから、上方の開口部から収容物を視認することはできず、他人には見せたくない収容物を視認されるおそれがなくて、プライバシーを確保することができる。
【００１３】
また、当該ドアトリム用ポケットにおいては、その設置場所がドアトリムの前側下方部であって、座席のシートクッションの側部から前方に外れた位置にあるため、ポケット本体の回動量をシートクッションに規制されることなく大きく設定できる。このため、ポケット本体の回動量を大きく設定してポケットの上方開口部を大きく開放することができ、収容物のポケット内への収容および収容物のポケットからの取出しを容易にすることができる。
【００１４】
本発明に係るドアトリム用ポケットにおいては、特に、連動手段を、ポケット本体および蓋体のいずれか一方に設けた円弧状のラックと、ポケット本体および蓋体のいずれか他方に設けられてラックに常時噛合するピニオンにて構成している。このため、当該連動手段の連動作用により、蓋体の回動動作に追従するポケット本体の回動動作、および、ポケット本体の回動動作に追従する蓋体の回動動作を円滑にすることができる。
【００１５】
また、本発明に係るドアトリム用ポケットにおいて、ポケット本体と蓋体を支持する支持部を、ドアトリムの凹所に配設されてポケット本体を収容するポケットケースにて形成すれば、ポケットを、ポケット本体をポケットケースに収容して下方の部位にて支持するとともに、蓋体をポケットケースの上方の部位に支持した組立体として構成することができ、ドアトリムに対する組付性を向上させることができるとともに、ポケット自体の組立性をも向上させることができる。
【００１６】
また、本発明に係るドアトリム用ポケットにおいては、支持部とポケット本体との間に、ポケット本体が非回動動作状態ではポケット本体を非回動動作方向に付勢し、かつ、ポケット本体が回動動作状態では反転してポケット本体を回動動作方向に付勢するバネ部材を介装するようにすれば、ポケットの閉鎖時には蓋体はポケットの上方開口部を確実に閉鎖し、かつ、ポケットに収容物を収容する際には、ポケットの上方開口部の開放状態を確実に保持することができる。この場合、支持部とポケット本体との間に、バネ部材のバネ力を緩衝するダンパを介装するようにすれば、バネ部材からの支持部およびポケット本体に対する衝撃力を解消することができる。
【００１７】
【発明の実施の形態】
以下、本発明を図面に基づいて説明すると、図１には、本発明の一例に係るポケットを配設したドアトリムが示されている。当該ドアトリム１１は、アームレスト１１ａの下方の前部に凹所１１ｂを備えていて、同凹所１１ｂにポケット２０が配設されている。
【００１８】
ポケット２０は、図２および図３に示すように、ポケットケース２１、ポケット本体２２、および蓋体２３にて構成されている。ポケットケース２１は、手前および上側が開口する箱状を呈するもので、底部の左右両側に第１支持部２１ａを、左右両側壁の段部上に第２支持部２１ｂを、左右両側壁の外側面の上方の部位に第３支持部２１ｃを備えている。また、左右両側壁における第３支持部２１ｃの下方にてこれに近接した部位に、円弧状長穴２１ｄおよび円形穴２１ｅが形成されている。
【００１９】
ポケット本体２２は、手前および上側が開口する箱体２２ａの手前の開口部を前蓋２２ｂにて閉鎖してなる箱状を呈するもので、底部の下面の左右両側に支持部２２ｃを備えている。箱体２２ａはポケットケース２１内に収容可能な寸法に形成されており、また、前蓋２２ｂはポケット本体２２がポケットケース２１に収容されて支持された状態でポケットケース２１の手前の開口部を覆蓋する寸法に形成されている。支持部２２ｃは、ポケットケース２１の第１支持部２１ａに回動可能に嵌合する寸法に設定されている。
【００２０】
ポケット本体２２においては、箱体２２ａの左右両側壁の外側面に円弧状のラック２４が設けられている。ラック２４は、ポケットケース２１の円弧状長穴２１ｄと略同一の形状を呈するもので、上下の縁部に歯部２４ａ，２４ｂを備え、円弧状長穴２１ｄに対向する部位に位置している。ラック２４の後端部には、支持部２４ｃを備えている。
【００２１】
蓋体２３は、平板状の蓋本体２３ａの下面の左右両側に支持部２３ｂを備えているもので、蓋本体２３ａはポケット本体２２の上方開口部を覆蓋する寸法に形成されており、支持部２３ｂはポケットケース２１の第２支持部２１ｂに回動可能に嵌合する寸法に形成されている。
【００２２】
蓋本体２３ａの下面の左右両側には、扇形状のピニオン２５が設けられている。各ピニオン２５は支持部２３ｂより内側に位置していて、ポケット本体２２に設けたラック２４の歯部２４ａに噛合可能に形成されている。ピニオン２５は、ラック２４とともに本発明の連動手段を構成している。
【００２３】
当該ポケット２０の組立てに際しては、ポケットケース２１の左右両壁部の円形穴２１ｅにオイルダンパ２６を嵌着する。オイルダンパ２６は、図４および図５に示すように、円盤状のダンパ室２６ａとその中心部に設けたギヤ２６ｂを備えたもので、ダンパ室２６ａを円形穴２１ｅに外側から嵌合して固定し、ギヤ２６ｂをポケットケース２１の各側壁部の内側に位置させる。かかるポケットケース２１にポケット本体２２を組付ける。
【００２４】
ポケット本体２２をポケットケース２１に組付けるには、ポケット本体２２をポケットケース２１に収容して、その支持部２２ｃをポケットケース２１の第１支持部２１ａに嵌合して支持ピンを介して回動可能に組付ける。この状態では、ポケット本体２２に設けた各ラック２４の歯部２４ｂがポケットケース２１に設けたオイルダンパ２６のギヤ２６ｂに噛合し、一端をポケットケース２１の第３支持部２１ｃに掛止したトーションスプリング２７の他端側を円弧状長穴２１ｄに挿通して、各ラック２４に設けた支持部２４ｃに掛止する。次いで、蓋体２３をポケットケース２１に組付ける。
【００２５】
蓋体２３をポケットケース２１に組付けるには、ポケット本体２２が組付けられているポケットケース２１の上方に蓋体２３の支持部２３ｂを挿入して、支持部２３ｂをポケットケース２１の第２支持部２１ｂに嵌合し、支持ピンを介して回動可能に組付ける。この組付状態では、蓋体２３に設けた各ピニオン２５が各ラック２４の歯部２４ａに噛合し、各ピニオン２５と各ラック２４との噛合状態は、図２および図６に示すように、常時確保される。
【００２６】
このように組立られたポケット２０は、ドアトリム１１の凹所１１ｂに嵌合して取付けられる。この取付け状態においては、ポケットケース２１に設けたオイルダンパ２６のギヤ２６ｂ、ポケット本体２２に設けたラック２４、蓋体２３に設けたピニオン２５、およびトーションスプリング２７は図６の実線で示す状態にあり、トーションスプリング２７はポケット本体２２をポケットケース２１内へ押込める方向に付勢して、ポケット本体２２および蓋体２３を、図２の実線で示すように、非回動動作状態に保持している。ポケット２０のこの状態は、ポケット本体２２は押込められた状態で、その上方開口部が蓋体２３にて覆蓋された状態にある。
【００２７】
この状態のポケット２０において、ポケット２０を開放すべく、ポケット本体２２の前蓋２２ｂの上縁に設けた窪み２２ｄに指を差込んで蓋体２３を上方へ回動操作した場合には、ラック２４とピニオン２５の作用にて、図２の２点鎖線で示すように、蓋体２３の回動動作と連動してポケット本体２２が手前へ回動してポケットケース２１から手前に引出され、ポケット２０の上方開口部を大きく開放させる。トーションスプリング２７は、ポケット本体２２がポケットケース２１から引出される途中で反転してポケット本体２２に対する付勢方向が変更され、ポケット本体２２は回動動作方向に付勢されて、図２の２点鎖線で示す引出された状態に保持される。この場合、蓋体２３には、トーションスプリング２７の付勢力がラック２４とピニオン２５を通して伝達されているため、蓋体２３は図２の２点鎖線で示す開放状態に保持される。
【００２８】
ポケット２０を開放する第２の方法としては、ポケット本体２２をポケットケース２１から手前に引出す方法があり、この場合、ポケット本体２２を手前へ回動操作すると、ポケット本体２２の回動動作に連動して蓋体２３が上方へ回動動作して、ポケット２０の上方開口部を大きく開放させる。
【００２９】
また、ポケット２０を閉鎖するには、蓋体２３を下方へ回動操作するか、ポケット本体２２を背部側へ押込み操作する。これにより、蓋体２３またはポケット本体２２は上記した動作とは前後逆の動作を行い、これに連動して、ポケット本体２２または蓋体２３も上記した動作とは前後逆の動作を行い、ポケット本体２２はポケットケース２１に押込められた状態となり、かつ、ポケット２０の上方開口部は蓋体２３にて閉鎖された状態となる。
【００３０】
このように動作するポケット２０においては、収容物を収容した状態では、上方開口部が蓋体２３で覆蓋されていることから、上方の開口部から収容物を視認することはできず、他人には見せたくない収容物を視認されるおそれがなくて、プライバシーを確保することができる。
【００３１】
また、当該ポケット２０においては、その設置場所がドアトリム１１の前側下方部であって、図１に示すように、座席のシートクッションＣから外れた前方の部位に位置していることから、ポケット本体２２の回動量をシートクッションＣに規制されることなく大きく設定できる。このため、ポケット本体２２の回動量を大きく設定してポケット２０の上方開口部を大きく開放することができ、収容物のポケット２０内への収容および収容物のポケット２０内からの取出しを容易にすることができる。
【００３２】
当該ポケット２０においては、連動手段を、ポケット本体２２に設けたラック２４と蓋体２３に設けたピニオン２５にて構成しているので、蓋体２３の回動動作に追従するポケット本体２２の回動動作、および、ポケット本体２２の回動動作に追従する蓋体２３の回動動作を円滑にすることができる。
【００３３】
また、当該ポケット２０において、ポケット本体２２と蓋体２３を支持する支持部を、ドアトリム１１の凹所１１ｂに配設されてポケット本体２２を収容するポケットケース２１にて形成しているので、ポケット２０を、ポケット本体２２をポケットケース２１に収容して下方の部位にて支持するとともに、蓋体２３をポケットケース２１の上方の部位に支持した組立体として構成することができて、ドアトリム１１に対する組付性を向上させることができるとともに、ポケット２０自体の組立性をも向上させることができる。
【００３４】
また、当該ポケット２０においては、ポケットケース２１とポケット本体２２との間に、ポケット本体２２が非回動動作状態ではポケット本体２２を非回動動作方向に付勢し、かつ、ポケット本体２２が回動動作状態では反転してポケット本体２２を回動動作方向に付勢するトーションスプリング２７を介装しているために、ポケット２０の閉鎖時には蓋体２３によるポケット２０の上方開口部の閉鎖を確実にし、かつ、ポケット２０に収容物を収容する際には、蓋体２３によるポケット２０の上方開口部の開放状態を確実に保持することができる。この場合、ポケットケース２１とポケット本体２２との間に、トーションスプリング２７のバネ力を緩衝するオイルダンパ２６を介装しているため、トーションスプリング２７からのポケットケース２１およびポケット本体２２に対する衝撃力を解消することができる。
【００３５】
なお、当該ポケット２０においては、ポケットケース２１における左右の両側にオイルダンパ２６およびトーションスプリング２７を設けているが、オイルダンパ２６およびトーションスプリング２７については左右のいずれか一方でよく、この場合には、ポケットケース２１のいずれか一方の円弧状長穴２１ｄおよび円形穴２１ｅを省略することができる。
【図面の簡単な説明】
【図１】本発明の一例に係るドアトリム用ポケットを備えたドアトリムの正面図である。
【図２】同ポケットの縦断側面図である。
【図３】同ポケットの分解した斜視図である。
【図４】同ポケットに採用したオイルダンパの斜視図である。
【図５】同ポケットにおけるポケット本体と蓋体との連結部の横断面図である。
【図６】同ポケットにおけるオイルダンパ、ラック、ピニオン、およびトーションスプリングの関連を示す作動説明図である。
【図７】従来のドアポケットの一部を示す部分斜視図（ａ）、およびその縦断面図（ｂ）である。
【符号の説明】
１１…ドアトリム、１１ａ…アームレスト、１１ｂ…凹所、２０…ポケット、２１…ポケットケース、２１ａ…第１支持部、２１ｂ…第２支持部、２１ｃ…第３支持部、２１ｄ…円弧状長穴、２１ｅ…円形穴、２２…ポケット本体、２２ａ…箱体、２２ｂ…前蓋、２２ｃ…支持部、２２ｄ…窪み、２３…蓋体、２３ａ…蓋本体、２３ｂ…支持部、２４…ラック、２４ａ，２４ｂ…歯部、２４ｃ…支持部、２５…ピニオン、２６…オイルダンパ、２６ａ…ダンパ室、２６ｂ…ギヤ、２７…トーションスプリング、Ｃ…シートクッション。
【図１】
0004239285.tif 000002
【図２】
0004239285.tif 000003
【図３】
0004239285.tif 000004
【図４】
0004239285.tif 000005
【図５】
0004239285.tif 000006
【図６】
0004239285.tif 000007
【図７】
0004239285.tif 000008